(57)【特許請求の範囲】
【請求項１】
主電源を遮断し、補助電源で最小限の給電を行う低電力待機モードを有する通信端末装置において、
前記補助電源により給電され、少なくとも情報受信端末起動信号を含む回線網からの呼出信号を検出する呼出信号検出手段と、
前記主電源により給電され、前記情報受信端末起動信号に対する応答処理を行う応答手段と、
前記主電源により給電され、前記回線網を介した通信の制御を行う制御手段と、
前記呼出信号検出手段による呼出信号の検出に応じて前記主電源を投入する電源制御手段と
を具備し、
前記制御手段は、前記電源制御手段により前記主電源が投入されることで初期化処理を開始し、該初期化処理の終了後に、前記応答手段に対して通信規制データを転送し、
前記応答手段は、前記電源制御手段により前記主電源が投入されることで初期化処理を開始し、前記制御手段よりも早く初期化処理を終了し、前記制御手段の起動前に前記情報受信端末起動信号に対する応答処理を行い、前記制御手段から受取った通信規制データに基づいて通信を継続するか否かを決定する
ことを特徴とする通信端末装置。
【発明の詳細な説明】
【０００１】
【発明の属する技術分野】
この発明は、通信端末装置に関し、特に、電話網における各種サービスに対応することのできる通信端末装置に関する。
【０００２】
【従来の技術】
近年、ＦＡＸ装置等の通信端末装置においては、待機時の消費電力を低下させるために、待機時には主電源をオフにし、待機用のサブ電源で主電源のオンを指示する主電源復帰信号を監視するといったことが行われている。
【０００３】
主電源の復帰（オン）は、特開平５−２６０２２９号公報に記載されているファクシミリ装置のようにユーザによる操作や電話網からの呼出信号をトリガとして行われる。主電源復帰の際の動作は、図８に示すように、電話網からの呼出信号をトリガとする復帰信号の検出を待ち（ステップ５０１でＮＯ）、復帰信号が検出されると（ステップ５０１でＹＥＳ）、主電源を復帰し（ステップ５０２）、各基板の初期化を開始する（ステップ５０３）。次に、各基板の初期化が終了するのを待ち（ステップ５０４でＮＯ）、全ての基板で初期化が終了すると（ステップ５０４でＹＥＳ）、立ち上げが完了して回線への応答を開始し（ステップ５０５）、通常の動作に入る。
【０００４】
このように、主電源の復帰を行う際には、各基板を初期化する必要があるため、電話網からの呼出信号を検出してから応答を行うまでに数十秒の時間を要することになり、発信者側をその時間だけ待たせてしまうことになる。
【０００５】
一方、最近では、通信事業者により発信者番号通知サービス／モデムダイヤルインサービスが提供されている。このサービスでは、発信電話番号または非通知理由、着番号情報等が含まれた発ＩＤが網側からモデム信号として送信されるサービスである。
【０００６】
図９は、発ＩＤの通信の際のシーケンスを示した図である。
同図に示すように、発ＩＤの通知の際には、加入者線交換機の動作により回線の極性が反転され（ステップ６０１）、次いで、加入者線交換機からＩＤ受信端末（発信者番号通知サービス／モデムダイヤルインサービスに対応の通信端末装置）にＩＤ受信端末起動信号（情報受信端末起動信号：ＣＡＲ）が送信される（ステップ６０２）。このＣＡＲに対してＩＤ受信端末が加入者線交換機に一次応答信号を返すと（ステップ６０３）、加入者線交換機からＩＤ受信端末に発ＩＤがモデム信号として送信される。
【０００７】
ＩＤ受信端末は、発ＩＤを受信すると、受信完了信号を加入者線交換機に返し（ステップ６０５）、その後、加入者線交換機からＩＤ受信端末に呼出信号が送信される（ステップ６０６）。この呼出信号にＩＤ受信端末が応答し、二次応答信号を返すと（ステップ６０７）、加入者線交換機が回線の極性を復帰し（ステップ６０８）、続いて、加入者線交換機とＩＤ受信端末の間で通信が行われる（ステップ６０９）。
【０００８】
ところで、加入者線交換機からの発ＩＤの送信は、加入者線交換機がステップ６０１での極性反転から６秒以内にステップ６０３の一次応答信号を受信した場合にのみ行われる。したがって、ＩＤ受信端末は、発ＩＤを受信するためには極性の反転（ＩＤ受信端末信号の受信）から６秒以内に一次応答信号を返す必要があることになる。
【０００９】
【発明が解決しようとする課題】
ところが、上述したように低消費電力の待機モードを有する通信端末装置では、網からの信号を受信してから通信が可能な状態になるまでに数十秒の時間を要するため、応答に要する時間が長くなっていた。また、発ＩＤを受信するための一次応答信号を所定の時間以内に返すことができず、発信者番号通知サービス／モデムダイヤルインサービス等のサービスに対応することができない。
【００１０】
そこで、この発明は、低消費電力での待機モードを実現するとともに、通信事業者により提供される各サービスに対応することのできる通信端末装置を提供することを目的とする。
【００１１】
【課題を解決するための手段】
上述した目的を達成するため、請求項１の発明は、主電源を遮断し、補助電源で最小限の給電を行う低電力待機モードを有する通信端末装置において、前記補助電源により給電され、少なくとも情報受信端末起動信号を含む回線網からの呼出信号を検出する呼出信号検出手段と、前記主電源により給電され、前記情報受信端末起動信号に対する応答処理を行う応答手段と、前記主電源により給電され、前記回線網を介した通信の制御を行う制御手段と、前記呼出信号検出手段による呼出信号の検出に応じて前記主電源を投入する電源制御手段とを具備し、前記制御手段は、前記電源制御手段により前記主電源が投入されることで初期化処理を開始し、該初期化処理の終了後に、前記応答手段に対して通信規制データを転送し、前記応答手段は、前記電源制御手段により前記主電源が投入されることで初期化処理を開始し、前記制御手段よりも早く初期化処理を終了し、前記制御手段の起動前に前記情報受信端末起動信号に対する応答処理を行い、前記制御手段から受取った通信規制データに基づいて通信を継続するか否かを決定することを特徴とする。
【００１７】
【発明の実施の形態】
以下、この発明に係る通信端末装置及びその制御方法の一実施例について、添付図面を参照して詳細に説明する。
【００１８】
図１は、通信端末装置の概略構成を示すブロック図である。
同図に示すように、通信端末装置１は、ＮＣＵ（回線制御装置）基板１０と、Ｇ３基板、ＭＡＩＮ基板３０、スキャナ部４０、プリンタ部５０、コントロールパネル部６０、電源コントロール部７０、電源部８０を具備して構成される。
【００１９】
また、ＮＣＵ基板１０は呼出信号検出部１１を具備し、Ｇ３基板２０はＣＰＵ部２１とＲＯＭ／ＲＡＭ部２２、Ｖ２３信号処理部２３を具備している。ＭＡＩＮ基板３０はＣＰＵ部３１とＲＯＭ／ＲＡＭ部３２を具備し、コントロールパネル部６０は復帰信号検出部６１を具備している。電源部８０は、プラグ８１とＳＳＲ（ソリッドステートリレー）８２、主電源８３、サブ電源８４を具備して構成される。
【００２０】
ＮＣＵ基板１０は、電話回線網とのインタフェイスとなり、呼出信号検出部１１は、電話回線網（加入者線交換機）からの呼出信号等を検出する。
【００２１】
Ｇ３基板は、ＮＣＵ基板１０での回線ＯＮ／ＯＦＦ制御やモデムコントロール等をＣＰＵ部２１の動作により行う。ＲＯＭ／ＲＡＭ部２２は、ＣＰＵ部２１の動作に必要なプログラムやデータを記憶し、Ｖ２３信号処理部２３は、送受信するファクシミリデータの符号化、復号化等を行う。
【００２２】
ＭＡＩＮ基板３０は、通信端末装置１の全体の制御をＣＰＵ部３１により行い、主としてスキャナ部４０からのイメージの入力、プリンタ部５０からのイメージの出力、コントロールパネル部６０からのユーザ操作の受付を行う。なお、ＲＯＭ／ＲＡＭ部３２は、ＣＰＵ部２１の動作に必要なプログラムやデータを記憶している。
【００２３】
また、スキャナ部４０は送信するイメージを入力し、プリンタ部５０は受信したイメージを印刷出力する。コントロールパネル部６０は、各種ユーザ操作を受け付けるユーザインタフェイスであり、復帰信号検出部６１は、通信端末装置１が待機モードにある状態でコントロールパネル部６０が操作された際に発生する復帰信号を検出する。
【００２４】
電源コントロール部７０は、電源部８０のＳＳＲ８２を制御して主電源８３のＯＮ／ＯＦＦを切り替える。主電源８３の切替は、通信端末装置１が一定時間動作しない場合等の待機モードへの移行時にはＯＦＦとし、呼出信号検出部１１による呼出信号の検出や復帰信号検出部６１による復帰信号の検出をトリガとする待機モードからの復帰時にはＯＮとする。
【００２５】
また、サブ電源８４は、呼出信号検出部１１と復帰信号検出部６１、電源コントロール部７０に常時給電を行い、主電源８３は、サブ電源８４により給電される部分以外の各部への給電を電源コントロール部７０の制御により行う。
【００２６】
この通信端末装置１は、以下に示すように、電話回線網からの呼出信号により待機モードから復帰する際、Ｇ３基板２０の初期化終了後に直ちに応答を行うように構成されている。
【００２７】
ここで、図２乃至４を参照して、通信端末装置１の電話回線網からの呼出信号により待機モードから復帰する際の動作の流れを説明する。
図２乃至４は、通信端末装置１の待機モードからの復帰時の動作の流れを示すフローチャートである。
【００２８】
通信端末装置１が、待機モードにある状態で、呼出信号検出部１１が電話回線網からの呼出信号を検出すると（ステップ１０１でＹＥＳ）、電源コントロール部７０がＳＳＲ８２を制御して主電源８３を投入する（ステップ１０２）。主電源８３が投入されると、各部に給電が行われ、ＮＣＵ基板１０とＧ３基板２０、ＭＡＩＮ基板３０を含む各基板で初期化を開始する（ステップ１０３）。
【００２９】
各基板における初期化処理は、並行して行われるが、ここでは、ＭＡＩＮ基板３０とＧ３基板２０、それ以外の基板に分けて説明を行う。
【００３０】
ＭＡＩＮ基板３０とＧ３基板２０以外の基板（ＮＣＵ基板１０と図示しない他の基板であり、他の基板は直接通信に影響しないため省略する）で初期化が開始されると（ステップ１１１）、これらの基板は特に煩雑な動作を行うことなく初期化を終了する（ステップ１１２でＹＥＳ）。なお、ＮＣＵ基板１０の場合は、ＣＰＵやＲＡＭを具備していないため、初期化に要する時間は実質０である。
【００３１】
また、ＭＡＩＮ基板３０で初期化が開始され（ステップ１２１）、ＭＡＩＮ基板３０の初期化が終了すると（ステップ１２２でＹＥＳ）、全基板の初期化終了を待ち（ステップ１２３でＮＯ）、全基板での初期化が終了すると（ステップ１２３でＹＥＳ）、Ｇ３基板へシステムデータ（登録電話番号等を含む）を転送し（ステップ１２４）、通信端末装置１の全体の立ち上げを完了する。なお、ＭＡＩＮ基板３０の初期化は、ＣＰＵ部３１とＲＯＭ／ＲＡＭ部３２の初期化及びシステムデータの転送などのため、最も時間を要し、例えば、４０秒程度の時間を要することになる。
【００３２】
また、Ｇ３基板２０で初期化が開始され（ステップ１３１）、Ｇ３基板２０の初期化が終了すると（ステップ１３２でＹＥＳ）、呼出信号検出部１１が電話回線網からの呼出信号を検出しているか否か、つまり、ステップ１０１で検出した呼出信号が継続しているか否かを判断する（ステップ１３３）。ここで、呼出信号が検出されない場合には（ステップ１３３でＮＯ）、一定時間の間、再び呼出信号が検出されるのを待ち（ステップ１３４でＮＯ）、一定時間内に呼出信号が検出されなければ（ステップ１３４でＹＥＳ）、電源コントロール部７０がＳＳＲ８２を介して主電源８３を制御し、通信端末装置１を待機モードに移行させて（ステップ１３５）、処理を終了する。
【００３３】
一方、ステップ１３３で呼出信号が検出されれば（ステップ１３３でＹＥＳ）、Ｇ３基板２０がＮＣＵ基板１０を制御して回線を閉結させ（ステップ１３６）、呼出に対する応答を開始する（ステップ１３７）。その後、ＭＡＩＮ基板３０からシステムデータが送信されると、それを受信し（ステップ１３８）、当該システムデータに通信規制（例えば、特定電話番号の受信拒否等）が設定されていない場合には（ステップ１３９でＹＥＳ）、通信を継続して通常モードとして動作し、通信規制が設定されていた場合には（ステップ１３９でＮＯ）、通信を中断し（ステップ１４０）、通信端末装置１を待機モードに移行させて（ステップ１３５）、処理を終了する。なお、Ｇ３基板２０の初期化は、ＭＡＩＮ基板３０からのシステムデータを受信する前までに要する時間は、何らトラブルが生ぜずに通常な状態であれば、ＭＡＩＮ基板３０の初期化よりも速く、例えば、３秒程度の時間を要する。
【００３４】
ところで、通信端末装置１には、外付けの電話機（受話器）が設けられることが多く、このような場合には、ＣＡＲを受信した際に通常とは異なる鳴動が発生する（ＣＡＲは１５〜２０Ｈｚの０．５秒ＯＮ／ＯＦＦ、一般の呼出信号は１５〜２０Ｈｚの１秒ＯＮ、２秒ＯＦＦ）。
【００３５】
このＣＡＲによる鳴動は、ユーザにとって耳障りであるばかりでなく、ユーザがこの鳴動に応答して受話器をオフフックにすると、発ＩＤの受信に影響をきたすことになる。また、外付け電話機の鳴動を停止するように設定すると、一般の呼出信号に対しても鳴動を行わなくなり、不都合が生じる場合もある。
【００３６】
そこで、通信端末装置１では、ＮＣＵ基板１０において、図５に示すようにリレー１２及び１３を介して電話回線９１と外付け電話機９２を接続し、リレー１３の操作により鳴動を制御する。
【００３７】
この構成では、低電力待機モードにおいても、リレー１３をコントロール可能とし、外付け電話機と電話回線を切り離しておく。
【００３８】
呼出信号検出部１１がＣＡＲを検出した場合は、リレー１２を切り替えて回線をＧ３基板２０に接続し、Ｖ２３信号処理部２３で発ＩＤを受信する。このとき、外付け電話機は、リレー１３で電話回線と切り離されているため鳴動はしない。
【００３９】
一方、呼出信号検出部１１がＣＡＲではなく普通の呼出信号を検出した場合、リレー１３をコントロールして外付け電話機と電話回線を接続する。これにより外付け電話機は電話回線からの呼出信号に応じて鳴動することが可能となる。
【００４０】
次に、この発明に係る通信端末装置の第２の実施例について説明する。
第２の実施例においては、通信端末装置１が待機モードにある際に、呼出信号検出部１１と復帰信号検出部６１、電源コントロール部７０の他に、Ｖ２３信号処理部２３にもサブ電源８４により給電を行っている。
【００４１】
ここで、図６を参照して第２の実施例における通信端末装置１の待機モードからの復帰動作を説明する。
図６は、第２の実施例における通信端末装置１の待機モードからの復帰の流れを示すフローチャートである。
【００４２】
通信端末装置１が待機モードにある状態で、呼出信号検出部１１が電話回線網からの呼出信号を検出すると（ステップ２０１でＹＥＳ）、これをトリガにして電源コントロール部７０がＳＳＲ８２を制御して主電源８３を投入する（ステップ２０２）。この主電源８３の投入により、各基板の初期化が開始される（ステップ２０３）。
【００４３】
ここで、呼出信号検出部１１が検出した呼出信号がＣＡＲであった場合には（ステップ２０４でＹＥＳ）、ＮＣＵ基板１０のリレー１２、１３が切り替わり、電話回線とＶ２３信号処理部２３が接続される（ステップ２０５）。この状態でＶ２３信号処理部２３が加入者線交換機とのＶ２３通信（発ＩＤの受信等）を行い（ステップ２０６）、その後、リレー１２、１３を切り替えてＣＡＲ応答を終了する（ステップ２０７）。
【００４４】
ＣＡＲ応答が終了するか、呼出信号がＣＡＲ以外だった場合には（ステップ２０４でＮＯ）、全基板の初期化終了を待ち（ステップ２０８でＮＯ）、全基板の初期化が終了すると（ステップ２０８でＹＥＳ）、通信端末装置１の立ち上げが完了となる。
【００４５】
次に、この発明に係る通信端末装置の第３の実施例について説明する。
第３の実施例においては、第２の実施例の場合と同様に、通信端末装置１が待機モードにある際に、呼出信号検出部１１と復帰信号検出部６１、電源コントロール部７０、Ｖ２３信号処理部２３にサブ電源８４による給電を行っている。また、第３の実施例における電源コントロール部７０は、主電源８３の投入を各基板毎に行うように構成している。
【００４６】
ここで、図７を参照して第３の実施例における通信端末装置１の待機モードからの復帰動作を説明する。
図７は、第３の実施例における通信端末装置１の待機モードからの復帰の流れを示すフローチャートである。
【００４７】
通信端末装置１が待機モードにある状態で、呼出信号検出部１１が電話回線網からの呼出信号を検出すると（ステップ３０１でＹＥＳ）、これをトリガにして電源コントロール部７０がＳＳＲ８２を制御して主電源８３を投入し、ＭＡＩＮ基板３０とＧ３基板２０の電源を復帰させる（ステップ３０２）。
【００４８】
ここで、呼出信号検出部１１が検出した呼出信号がＣＡＲであった場合には（ステップ３０３でＹＥＳ）、ステップ３０２での電源復帰により、ＭＡＩＮ基板３０とＧ３基板２０の初期化が開始され（ステップ３０４）、続いて、ＮＣＵ基板１０のリレー１２、１３が切り替わり、電話回線とＶ２３信号処理部２３が接続される（ステップ３０５）。
【００４９】
この状態でＶ２３信号処理部２３が加入者線交換機とのＶ２３通信（発ＩＤの受信等）を行い（ステップ３０６）、その後、リレー１２、１３を切り替えてＣＡＲ応答を終了し（ステップ３０７）、システムデータの転送完了後に、取得した発番号の登録状態をチェックする（ステップ３０８）。
【００５０】
発番号の登録状態の結果、当該番号がＦＡＸのものであった場合には（ステップ３０９でＹＥＳ）、電源コントロール部７０により、他の全ての基板の電源を復帰して（ステップ３１０）、その各基板を初期化して（ステップ３１１）、通信端末装置１の立ち上げが完了となる。
【００５１】
一方、発番号の登録状態の結果、当該番号がＦＡＸのものでなかった場合には（ステップ３０９でＮＯ）、電源コントロール部７０がＭＡＩＮ基板３０とＧ３基板２０の電源を遮断し（ステップ３１２）、通信端末装置１は、待機モードに移行する。
【００５２】
また、ステップ３０３において、呼出信号検出部１１が検出した呼出信号がＣＡＲでなかった場合には（ステップ３０３でＮＯ）、電源コントロール部７０が、他の全ての基板の電源を復帰して（ステップ３１０）、その各基板を初期化して（ステップ３１１）、通信端末装置１の立ち上げが完了となる。
【００５３】
次に、この発明に係る通信端末装置の第４の実施例について説明する。
第４の実施例においては、第２の実施例での通信端末装置１の構成において、Ｖ２３信号処理部２３に代えて、ＤＴＭＦ（Ｄｕａｌ  Ｔｏｎｅ  Ｍｕｌｔｉ  Ｆｒｅｑｕｅｎｃｙ）信号（ＰＢ（Ｐｕｓｈ  Ｂｕｔｔｏｎ）信号とも称する）を検出するＤＴＭＦ信号検出部（不図示）を具備した構成をとる。この構成により、モデムダイヤルインサービスではなく、ＰＢ信号によるダイヤルインサービスに対しても同様の処理を可能とする。なお、この構成における各部の動作は、第２の実施例の説明におけるＶ２３信号処理部をＤＴＭＦ信号検出部と読み替えた場合と同様であるので、説明は省略する。
【００５４】
【発明の効果】
以上説明したように、この発明によれば、電話回線網からの呼出信号を検出して待機モードからの復帰を行うとともに、該復帰により一部の動作が可能となった状態で呼出信号に応答するように構成したので、発信者側を必要以上に待たせることなく、発信者番号通知サービス／モデムダイヤルインサービス等の各種サービスにも対応することができる。
【００５５】
また、待機モード時にＶ２３信号処理部に通電するように構成したので、待機モードからの復帰に際して、直ちにＣＡＲに応答することが可能となり、発信者番号通知サービス／モデムダイヤルインサービス等の各種サービスにも対応することができる。
【図面の簡単な説明】
【図１】通信端末装置の概略構成を示すブロック図である。
【図２】通信端末装置１の待機モードからの復帰時の動作の流れを示すフローチャート（１）である。
【図３】通信端末装置１の待機モードからの復帰時の動作の流れを示すフローチャート（２）である。
【図４】通信端末装置１の待機モードからの復帰時の動作の流れを示すフローチャート（３）である。
【図５】ＮＣＵ基板１０の構成を示した図である。
【図６】第２の実施例における通信端末装置１の待機モードからの復帰の流れを示すフローチャートである。
【図７】第３の実施例における通信端末装置１の待機モードからの復帰の流れを示すフローチャートである。
【図８】従来の通信端末装置における待機モードからの復帰時の動作の流れを示すフローチャートである。
【図９】発ＩＤの通信の際のシーケンスを示した図である。
【符号の説明】
１    通信端末装置
１０    ＮＣＵ基板
１１    呼出信号検出部
２０    Ｇ３基板
２１    ＣＰＵ部
２２    ＲＯＭ／ＲＡＭ部
２３    Ｖ２３信号処理部
３０    ＭＡＩＮ基板
３１    ＣＰＵ部
３２    ＲＯＭ／ＲＡＭ部
４０    スキャナ部
５０    プリンタ部
６０    コントロールパネル部
６１    復帰信号検出部
７０    電源コントロール部
８０    電源部
８１    プラグ
８２    ＳＳＲ
８３    主電源
８４    サブ電源
【図１】
0004284796.tif 000002
【図２】
0004284796.tif 000003
【図３】
0004284796.tif 000004
【図４】
0004284796.tif 000005
【図５】
0004284796.tif 000006
【図６】
0004284796.tif 000007
【図７】
0004284796.tif 000008
【図８】
0004284796.tif 000009
【図９】
0004284796.tif 000010